(57)【要約】【課題】従来のコンテンツ切替もしくはチャンネル切替は、新聞などの独立したメディアの情報を見なければチャンネルもしくはコンテンツの情報はわからなかったので、わからないまま切替を行なうと所望のチャンネルおよびコンテンツを探すのに時間がかかったり、インターネット上のコンテンツの場合は接続に時間がかかるために選択ミスにより何度も接続を行なうとストレスとなるなどの課題を有していた。【解決手段】チャンネルもしくはコンテンツ切替前に、ＯＳＤ内の次候補の番組名もしくはコンテンツ名の表示により情報提供、もしくはＯＳＤ機能を用いて次候補の番組表もしくはコンテンツ表を提示する事により、現在の映像信号・音声信号を再生しながら、同じ画面上の情報を元にユーザーが次に視聴する番組もしくはコンテンツを選択できるようにする。【選択図】図１０
2005167894.tif 000002
【特許請求の範囲】
【請求項１】
コンテンツ指示入力手段から入力される指示入力に基づいて、受信したコンテンツとコンテンツ付加情報を再生するコンテンツ再生装置で用いられるコンテンツ切替方法であって、
前記コンテンツ指示入力手段よりコンテンツ切替指示が入力されると現コンテンツを再生したままで次候補のコンテンツ付加情報を表示し、
前記コンテンツ指示入力手段よりコンテンツ切替指示が入力されてから所定の時間内に再度コンテンツ切替指示が入力されると前記現コンテンツを再生したままで次々候補のコンテンツ付加情報を表示し、所定の時間内にコンテンツ切替指示が入力されないと前記次候補のコンテンツを再生することを特徴とするコンテンツ切替方法。
【請求項２】
コンテンツ指示入力手段から入力される指示入力に基づいて、受信したコンテンツとコンテンツ付加情報を再生するコンテンツ再生装置で用いられるコンテンツ切替方法であって、
前記コンテンツ指示入力手段よりコンテンツリスト指示が入力されると現コンテンツを再生したままで候補コンテンツ付加情報リストを表示し、
前記コンテンツ指示入力手段より前記候補コンテンツ付加情報リストからのコンテンツ選択が入力されると選択したコンテンツを再生することを特徴とするコンテンツ切替方法。
【請求項３】
コンテンツ指示入力手段から入力される指示入力に基づいて、受信したコンテンツとコンテンツ付加情報を再生するコンテンツ再生装置で用いられるコンテンツ切替方法であって、
前記コンテンツ指示入力手段よりコンテンツ切替指示が入力されると現コンテンツを再生したままで所定の順序で候補コンテンツ付加情報を表示し、
前記コンテンツ指示入力手段より決定指示が入力されると表示されている候補コンテンツ付加情報に基づく候補コンテンツを再生することを特徴とするコンテンツ切替方法。
【請求項４】
前記コンテンツ指示入力手段がリモコンであるコンテンツ再生装置で用いられる請求項１乃至請求項３いずれかに記載のコンテンツ切替方法。
【請求項５】
チャンネル指示入力手段から入力される指示入力に基づいて、受信したチャンネル番組とチャンネル付加情報を再生するチャンネル番組再生装置で用いられるチャンネル切替方法であって、
前記チャンネル指示入力手段よりチャンネル切替指示が入力されると現チャンネル番組を再生したままで次候補のチャンネル付加情報を表示し、
前記チャンネル指示入力手段よりチャンネル切替指示が入力されてから所定の時間内に再度チャンネル切替指示が入力されると前記現チャンネル番組を再生したままで次々候補のチャンネル付加情報を表示し、所定の時間内にチャンネル切替指示が入力されないと前記次候補のチャンネル番組を再生することを特徴とするチャンネル切替方法。
【請求項６】
チャンネル指示入力手段から入力される指示入力に基づいて、受信したチャンネル番組とチャンネル付加情報を再生するチャンネル番組再生装置で用いられるチャンネル切替方法であって、
前記チャンネル指示入力手段よりチャンネルリスト指示が入力されると現チャンネル番組を再生したままで候補チャンネル付加情報リストを表示し、
前記チャンネル指示入力手段より前記候補チャンネル付加情報リストからのチャンネル選択が入力されると選択したチャンネル番組を再生することを特徴とするチャンネル切替方法。
【請求項７】
チャンネル指示入力手段から入力される指示入力に基づいて、受信したチャンネル番組とチャンネル付加情報を再生するチャンネル番組再生装置で用いられるチャンネル切替方法であって、
前記チャンネル指示入力手段よりチャンネル切替指示が入力されると現チャンネル番組を再生したままで所定の順序で候補チャンネル付加情報を表示し、
前記チャンネル指示入力手段より決定指示が入力されると表示されている候補チャンネル付加情報に基づく候補チャンネル番組を再生することを特徴とするチャンネル切替方法。
【請求項８】
前記チャンネル指示入力手段がリモコンであるチャンネル番組再生装置で用いられる請求項５乃至請求項７いずれかに記載のチャンネル切替方法。
【発明の詳細な説明】
【技術分野】
【０００１】
本発明は、電波によるテレビ放送もしくはインターネット上に公開されたコンテンツおよびインターネット上に放送されているコンテンツを受信し、映像信号と音声信号として再生できる端末におけるコンテンツ切替方法、およびチャンネル切替方法に関するものである。
【背景技術】
【０００２】
従来の映像音声信号再生装置におけるコンテンツ切替方法およびチャンネル切替方法を図１から図５、図７、図８を用いて説明する。
【０００３】
従来のインターネット放送システムにおけるデジタルストリーミング放送システムのブロック図を図１に示す。
【０００４】
図１において、１０１は複数のデジタルストリーミングコンテンツを有するサーバー、１０２はコンテンツを受信再生する端末である。
【０００５】
サーバー１０１は、コンテンツもしくはコンテンツの付加情報（メタファイル）をインターネット上にブラウザとして公開する機能を有するか、もしくは、他のサーバーがインターネット上にブラウザとして公開したアンカーからコンテンツもしくはコンテンツの付加情報にリンクが張れる機能を有している。また、サーバー１０１は、コンテンツ毎にコンテンツに関する付加情報を有している。
【０００６】
ここで、コンテンツの付加情報の一例を図２に示す。サーバー１０１が端末１０２に対して、付加情報を提示する場合には、図２に示したように複数のコンテンツ情報を一度に提示する事ができる。図２において１行目は、コンテンツのアドレスをそのスキームを含めて明示している。図２においてXXXがスキームを示し、yyy.aaaがインターネットアドレスとコンテンツを示している。また、コンテンツ名（番組名）やコンテンツ番号（チャンネル番号）も付加情報内に記載することができる。
【０００７】
端末１０２は、ブラウザ上のコンテンツを選択した時に、インターネット上のプロトコルにより当該コンテンツの有する付加情報をサーバー１０１から入手する。端末１０２は入手した付加情報を解析し、その結果としてコンテンツ再生前に必要な設定を行ない、たとえば、ＯＳＤ（Ｏｎ  Ｓｃｒｅｅｎ  Ｄｉｓｐｌａｙ）機能を用いてコンテンツ名とコンテンツ番号を表示しておくなどを行なった上で、コンテンツの配信をサーバー１０１に要求する。その後、サーバー１０１からのストリームを受けた端末１０２はストリームを再生した映像信号および音声信号を事前に準備しているＯＳＤ表示付きで出力する。
【０００８】
図５はＯＳＤ表示を説明する図である。画面上部に枠を設け、その枠内にコンテンツ名とコンテンツ番号を表示する。図５では、画面上部としたが、この枠は画面のいかなる部分にあってもよい。また、枠内に対して背景である映像信号が透けて見えるようにアルファブレンディング効果を用いても良い。
【０００９】
次にユーザーが再生中のコンテンツと異なるコンテンツを選択した場合、例えばコンテンツ番号００２を選択した場合は、リモコン等からのコンテンツ切替の指示を受けた端末１０２は付加情報を解析し、コンテンツ番号００２のアドレス・コンテンツ名を認識し、コンテンツ再生前に必要な設定を行ない、たとえば、ＯＳＤ（Ｏｎ  Ｓｃｒｅｅｎ  Ｄｉｓｐｌａｙ）機能を用いてコンテンツ名とコンテンツ番号を表示しておくなどを行なった上で、コンテンツの配信をサーバー１０１に要求する。その後、サーバー１０１からのストリームを受けた端末１０２はストリームを再生した映像信号および音声信号を事前に準備しているＯＳＤ表示付きで出力する。図８でこの状態遷移を示す。
【００１０】
しかしながら、従来のコンテンツ選択方法では、新聞等の端末とは独立したメディアからコンテンツ情報を入手した上でコンテンツ選択を行なわない限り、選択後のコンテンツでどのような放送が行なわれているかを認識する事はできない。また、ストリーム受信までには数秒の時間がかかるために、コンテンツ選択直後に誤って選択したことを認識しても再度コンテンツ選択が受けつけられるまでに時間を有してしまうなどの課題、および、ブラウザの画面時の情報を記憶しておいたり、新聞等の端末とは独立したメディアからコンテンツ情報を入手するなどしない限り、どのようなコンテンツがあるかを認識する事が出来ないなどの課題を有していた。
【００１１】
次に、従来のデジタル放送システムにおけるチャンネル選択方法を図３と図４と図５を用いて説明する。
【００１２】
図３は、衛星を用いたデジタルテレビ放送システムのブロック図であり、図において３０１は放送局、３０２は送信アンテナ、３０３は衛星、３０４は受信アンテナ、３０５は端末（セットトップボックス：ＳＴＢ）である。端末３０５が映像音声信号再生装置である。
【００１３】
放送局３０１は複数のチャンネル情報と複数のチャンネルの映像・音声の情報を含む放送を送信アンテナ３０２を用いて、衛星３０３に送信する。衛星３０３は放送局３０１から送信された放送を所定の領域（例えば日本）に向けて放送する。受信アンテナ３０４は、衛星３０３からの放送を受信する。端末３０５は受信アンテナ3３０４からのデータを解析し、所定の処理を行ない放送を受信する。
【００１４】
ここで、このシステムのテレビ放送のデータ構成の一例について、図４を用いて説明する。この放送システムでは、放送局が送信する放送には、複数のチャンネルが含まれている。図４は、ＭＰＥＧ−２のＴｒａｎｓｐｏｒｔ  Ｓｔｒｅａｍ（ＴＳ）を仮定しており、図中の枠は、ＴＳでＴＳ  Ｐａｃｋｅｔ と呼ばれているものである。チャンネルテーブルは、ＭＰＥＧ−２規格において、ＰＭＴ（Ｐｒｏｇｒａｍ  Ｍａｐ  Ｔａｂｌｅ）と呼ばれているものであり、当該ストリームに含まれる全てのチャンネルのＩＤなどの情報をテーブル化して有している。ユーザー情報のパケットは、各チャンネルにおいてユーザーに知らせるべき情報を有している。ビデオパケットは、映像信号を圧縮したデータを有しており、オーディオパケットは、音声信号を圧縮したデータを有している。
【００１５】
放送局３０１は、１つのチャンネルの映像信号・音声信号を所定の圧縮を行なって、それぞれビデオパケット・オーディオパケットに変換すると共に、当該チャンネル（映像信号・音声信号）に関する番組名や放送時間などの付加情報などのユーザー情報もユーザー情報パケットに変換する。そして、複数チャンネルのデータとチャンネルテーブルのパケット（ＰＭＴ）をまとめたストリームである図４で示したデータを生成し、それを放送する。
【００１６】
図４で示したデータを受信した端末において、ユーザーがチャンネル１を選択した場合、端末３０５はＰＭＴのコードを解析し、チャンネル１のユーザー情報・ビデオパケット・オーディオパケットのＩＤを認識し、ストリーム中から必要なパケットのみを取り出す。端末３０５は、ビデオパケットとオーディオパケットに対して所定の復号化を行ない映像信号と音声信号を再生する。また、端末３０５は、ユーザー情報中の１つの情報として含まれている番組名およびチャンネル番号を、映像信号再生時に、ＯＳＤ（Ｏｎ  Ｓｃｒｅｅｎ  Ｄｉｓｐｌａｙ）機能を用いて画面上に出力する。出力する時間は、常時出力する場合、所定の時間（例えば３秒間）のみ出力する場合など、端末により、または、端末に設定されているモードにより異なる。図５はＯＳＤ表示を説明する図である。画面上部に枠を設け、その枠内に番組名とチャンネル番号を表示する。図５では、画面上部としたが、この枠は画面のいかなる部分にあってもよい。また、枠内に対して背景である映像信号が透けて見えるようにアルファブレンディング効果を用いても良い。
【００１７】
次にユーザーが再生中のチャンネルと異なるチャンネルを選択した場合、例えばチャンネル２を選択した場合は、リモコン等からのチャンネル切替の指示を受けた端末３０５はＰＭＴのコードを解析し、チャンネル２のユーザー情報・ビデオパケット・オーディオパケットのＩＤを認識し、ストリーム中から必要なパケットのみを取り出す。端末３０５は、ビデオパケットとオーディオパケットに対して所定の復号化を行ない映像信号と音声信号を再生する。また、端末３０５は、ユーザー情報中の１つの情報として含まれている番組名およびチャンネル番号を、映像信号再生時に、ＯＳＤ（Ｏｎ  Ｓｃｒｅｅｎ  Ｄｉｓｐｌａｙ）機能を用いて画面上に出力する。図８に従来の状態遷移を示す。また、このコンテンツまたはチャンネルの従来の切替方法の処理フローを図７に示す。
【００１８】
なお、チャンネル選局操作毎に現受信チャンネルの番組の複数の番組情報を画面表示に適した表示形態で同時表示可能としてユーザが瞬時に番組情報を認識でき、番組選択操作を簡易化する技術が開示されている（例えば、特許文献１参照）。
【特許文献１】特開２０００−１５２１１２号公報
【発明の開示】
【発明が解決しようとする課題】
【００１９】
しかしながら、従来、電波によるテレビ放送もしくはインターネット上に公開されたコンテンツおよびインターネット上に放送されているコンテンツを受信し、映像信号と音声信号として再生する場合には、新聞などの端末とは独立したメディアの情報を見ることによって、情報を入手した後にチャンネル切替、もしくはコンテンツ切替したり、情報を入手せず、やみくもにコンテンツ切替、もしくはチャンネル切替を行なっており、所望のコンテンツおよびチャンネルを探すのに時間がかかったり、インターネット上のコンテンツの場合は、接続に時間がかかるために、選択ミスにより何度も接続を行なうとストレスとなるなどの課題を有していた。
【００２０】
本発明は、チャンネル切替、もしくはコンテンツ選択時に、新聞などの端末とは独立したメディアに頼ることなく、コンテンツ切替前、もしくはチャンネル切替前に事前にチャンネル、もしくはコンテンツの内容を知ることができるようにし、無駄にコンテンツ切替やチャンネル切替を行なわなくても良いようにすることを目的とする。
【課題を解決するための手段】
【００２１】
上記課題を解決するための第１の発明のコンテンツ切替方法は、コンテンツ指示入力手段から入力される指示入力に基づいて、受信したコンテンツとコンテンツ付加情報を再生するコンテンツ再生装置で用いられるコンテンツ切替方法であって、前記コンテンツ指示入力手段よりコンテンツ切替指示が入力されると現コンテンツを再生したままで次候補のコンテンツ付加情報を表示し、前記コンテンツ指示入力手段よりコンテンツ切替指示が入力されてから所定の時間内に再度コンテンツ切替指示が入力されると前記現コンテンツを再生したままで次々候補のコンテンツ付加情報を表示し、所定の時間内にコンテンツ切替指示が入力されないと前記次候補のコンテンツを再生することを特徴とする。
【００２２】
また、第２の発明のコンテンツ切替方法は、コンテンツ指示入力手段から入力される指示入力に基づいて、受信したコンテンツとコンテンツ付加情報を再生するコンテンツ再生装置で用いられるコンテンツ切替方法であって、前記コンテンツ指示入力手段よりコンテンツリスト指示が入力されると現コンテンツを再生したままで候補コンテンツ付加情報リストを表示し、前記コンテンツ指示入力手段より前記候補コンテンツ付加情報リストからのコンテンツ選択が入力されると選択したコンテンツを再生することを特徴とする。
【００２３】
また、第３の発明のコンテンツ切替方法は、コンテンツ指示入力手段から入力される指示入力に基づいて、受信したコンテンツとコンテンツ付加情報を再生するコンテンツ再生装置で用いられるコンテンツ切替方法であって、前記コンテンツ指示入力手段よりコンテンツ切替指示が入力されると現コンテンツを再生したままで所定の順序で候補コンテンツ付加情報を表示し、前記コンテンツ指示入力手段より決定指示が入力されると表示されている候補コンテンツ付加情報に基づく候補コンテンツを再生することを特徴とする。
【００２４】
また、第４の発明のコンテンツ切替方法は、前記コンテンツ指示入力手段がリモコンであるコンテンツ再生装置で用いられる第１の発明乃至第３の発明のいずれかに適用するものである。
【００２５】
また、第５の発明のチャンネル切替方法は、チャンネル指示入力手段から入力される指示入力に基づいて、受信したチャンネル番組とチャンネル付加情報を再生するチャンネル番組再生装置で用いられるチャンネル切替方法であって、前記チャンネル指示入力手段よりチャンネル切替指示が入力されると現チャンネル番組を再生したままで次候補のチャンネル付加情報を表示し、前記チャンネル指示入力手段よりチャンネル切替指示が入力されてから所定の時間内に再度チャンネル切替指示が入力されると前記現チャンネル番組を再生したままで次々候補のチャンネル付加情報を表示し、所定の時間内にチャンネル切替指示が入力されないと前記次候補のチャンネル番組を再生することを特徴とする。
【００２６】
また、第６の発明のチャンネル切替方法は、チャンネル指示入力手段から入力される指示入力に基づいて、受信したチャンネル番組とチャンネル付加情報を再生するチャンネル番組再生装置で用いられるチャンネル切替方法であって、前記チャンネル指示入力手段よりチャンネルリスト指示が入力されると現チャンネル番組を再生したままで候補チャンネル付加情報リストを表示し、前記チャンネル指示入力手段より前記候補チャンネル付加情報リストからのチャンネル選択が入力されると選択したチャンネル番組を再生することを特徴とする。
【００２７】
また、第７の発明のチャンネル切替方法は、チャンネル指示入力手段から入力される指示入力に基づいて、受信したチャンネル番組とチャンネル付加情報を再生するチャンネル番組再生装置で用いられるチャンネル切替方法であって、前記チャンネル指示入力手段よりチャンネル切替指示が入力されると現チャンネル番組を再生したままで所定の順序で候補チャンネル付加情報を表示し、前記チャンネル指示入力手段より決定指示が入力されると表示されている候補チャンネル付加情報に基づく候補チャンネル番組を再生することを特徴とする。
【００２８】
また、第８の発明のチャンネル切替方法は、前記チャンネル指示入力手段がリモコンであるチャンネル番組再生装置で用いられる第５の発明乃至第７の発明のいずれかに適用するものである。
【発明の効果】
【００２９】
以上の説明のとおり、本発明のコンテンツ切替方法、およびチャンネル切替方法では、コンテンツ、またはチャンネルを切り替える前に候補となるコンテンツ付加情報、またはチャンネル付加情報を表示させ、所定時間後、もしくはコンテンツ選択後に次のコンテンツを再生することが出来るので、無駄なコンテンツ、またはチャンネルの切り替えを少なくすることが出来る。
【発明を実施するための最良の形態】
【００３０】
（実施の形態１）
以下に、本発明の実施の形態１の映像信号、音声信号再生装置におけるコンテンツ切替方法を図１と図２と図５、図９、図１０を用いて説明する。
【００３１】
図１において、１０１は複数のデジタルストリーミングコンテンツを有するサーバー、１０２はコンテンツを受信再生する端末である。
【００３２】
サーバー１０１は、コンテンツもしくはコンテンツの付加情報（メタファイル）をインターネット上にブラウザとして公開する機能を有するか、もしくは、他のサーバーがインターネット上にブラウザとして公開したアンカーからコンテンツもしくはコンテンツの付加情報にリンクが張れる機能を有している。また、サーバー１０１は、コンテンツ毎にコンテンツに関する付加情報を有している。
【００３３】
ここで、コンテンツの付加情報の一例を図２を用いて示す。サーバー１０１が端末１０２に対して、付加情報を提示する場合には、図２に示したように複数のコンテンツ情報を一度に提示する事ができる。図２において１行目は、コンテンツのアドレスをそのスキームを含めて明示している。図２においてXXXがスキームを示し、yyy.aaaがインターネットアドレスとコンテンツを示している。また、コンテンツ名（番組名）やコンテンツ番号（チャンネル番号）も付加情報内に記載することができる。
【００３４】
端末１０２は、ブラウザ上のコンテンツを選択した時に、インターネット上のプロトコルにより当該コンテンツの有する付加情報をサーバー１０１から入手する。端末１０２は入手した付加情報を解析し、その結果としてコンテンツ再生前に必要な設定を行ない、たとえば、ＯＳＤ（Ｏｎ  Ｓｃｒｅｅｎ  Ｄｉｓｐｌａｙ）機能を用いてコンテンツ名とコンテンツ番号を表示しておくなどを行なった上で、コンテンツの配信をサーバー１０１に要求する。その後、サーバー１０１からのストリームを受けた端末１０２はストリームを再生した映像信号および音声信号を事前に準備しているＯＳＤ表示付きで出力する。
【００３５】
図５はＯＳＤ表示を説明する図である。画面上部に枠を設け、その枠内にコンテンツ名とコンテンツ番号を表示する。図５では、画面上部としたが、この枠は画面のいかなる部分にあってもよい。また、枠内に対して背景である映像信号が透けて見えるようにアルファブレンディング効果を用いても良い。
【００３６】
図９は本実施の形態の処理フロー図であり、図１０は本実施の形態の状態遷移を示す図である。ユーザーが再生中のコンテンツと異なるコンテンツを選択したい場合には、ユーザーは、コンテンツ指示入力手段としてのリモコンのコンテンツ切替ボタンを用いる。この例では、コンテンツ切替ボタンの上とコンテンツ切替ボタンの下の２つのボタンがリモコンに設定されているとする。図１０において、現在コンテンツ番号００２を再生中（図１０の８１１）であるとすると、リモコンのコンテンツ切替ボタンの上が押された場合には、ＯＳＤ表示内のコンテンツ付加情報であるコンテンツ名とコンテンツ番号だけが、次候補のコンテンツ番号００３のものに変わる（図１０の８１２）。図９でいうと、ＡからＢの状態に変わる。この状態で所定の時間（例えば３秒間）の間ユーザーからのリモコン操作がなければ、端末１０２は付加情報に記載されたアドレスでコンテンツの配信をサーバー１０１に要求する（図１０の８１５）。その後、サーバー１０１からのストリームを受けた端末１０２はストリームを再生した映像信号および音声信号を事前に準備しているＯＳＤ表示付きで出力する（図１０の８１６）。状態は図９のＡに戻る。
【００３７】
また、現在コンテンツ番号００２を再生中（図１０の８１１）にユーザーがリモコンのコンテンツ切替ボタンの上を押しＯＳＤ表示内のコンテンツ名とコンテンツ番号だけが、コンテンツ番号００３のものに変わった（図１０の８１２）後、所定の時間内にリモコンのコンテンツ切替ボタンの下が押された場合には、ＯＳＤ表示内のコンテンツ名とコンテンツ番号だけが、コンテンツ番号００２のものに変わる（図１０の８１３）。変わった後、所定の時間内にリモコンのコンテンツ切替ボタンの下が押された場合には、ＯＳＤ表示内のコンテンツ名とコンテンツ番号だけが、コンテンツ番号００１のものに変わる（図１０の８１４）。図９でいうと、ＡからＢの状態に変わった後、再びＢの状態になることを繰り返す。というように、所定の時間内にリモコンのコンテンツ切替ボタンの上ボタンと下ボタンを押していけば、付加情報に含まれている全てのコンテンツのコンテンツ名を知ることが出来、その中から次に視聴したいコンテンツを選択することができる。
【００３８】
なお、ＯＳＤ表示内にコンテンツ番号はなくてもよいし、コンテンツ名・コンテンツ番号以外の情報が含まれていても良い。また、コンテンツ切替のタイムアウトである所定の時間は本形態では３秒としたが何秒であっても良い。また、コンテンツ指示入力手段としてリモコンについて説明したが必ずしもこれに限るものではなく、本体側に設置された操作パネルでも良いし、キーボードのようなものでも良い。また、リモコンによるコンテンツ切替ボタンは、本実施の形態では上下というボタン分けであったが、左右もしくは、コンテンツ切替ができる仕様であれば何でも良い。また、コンテンツは当該端末が再生を指示した時に送信が開始されるものだけではなく、インターネット上に常時流されている形式のものでも良い。また、コンテンツとコンテンツ付加情報は別のサーバーから送信されるものでも良い。
【００３９】
（実施の形態２）
以下に、本発明の実施の形態２の映像信号、音声信号再生装置におけるコンテンツ切替方法を図１と図２と図６、図１１、図１２を用いて説明する。
【００４０】
図１および図２において実施の形態１と同様の動作を行なう事象は説明を省略する。図６は画面上のコンテンツ表もしくはチャンネル表を説明する図、図１１は本実施の形態の処理フロー図であり、図１２は本実施の形態の状態遷移を示す図である。
【００４１】
ユーザーがあるコンテンツを再生中において、次にユーザーが異なるコンテンツを選択したい場合には、リモコンのコンテンツリスト指示を行なうコンテンツ情報ボタンを用いる。この例では、リモコンにコンテンツ情報ボタンと上ボタンと下ボタンと決定ボタンの４つが設定されているとする。図１２において、現在コンテンツ番号００２を再生中であるとする（図１２の８２１）。ユーザーがリモコンのコンテンツ情報ボタンを押すことにより、図６に示したコンテンツ表がＯＳＤとして画面に表示される。この時、端末は、コンテンツ番号００２を再生したままである（図１２の８２２）。図１１でいうと、ＡからＢの状態に変わる。
【００４２】
ユーザーは、リモコンボタンの上ボタンと下ボタンを操作することにより、コンテンツ表の中の選択位置を変更していく。コンテンツ表内で選択位置の色が変化していくものとする。決定ボタンを押さない限り、図１１のＢの状態が保たれる。
【００４３】
ユーザーは、次に再生したいコンテンツを選択状態にし、リモコンの決定ボタンを押すことにより、次のコンテンツを選択する（図１２の８２３）。端末１０２は、図６の画面上部のようにＯＳＤ表示しているコンテンツ名とコンテンツ番号を、選択結果として選ばれたものに置換し、かつ、コンテンツ番号００２の送信停止と選択されたコンテンツの送信をサーバー１０１に要求し（図１２の８２４）、その後、サーバー１０１からのストリームを受けた端末１０２はストリームを再生した映像信号および音声信号を事前に準備しているＯＳＤ表示付きで出力する（図１２の８２５）。状態は図１１のＡに戻る。
【００４４】
なお、ＯＳＤ表示内にコンテンツ番号はなくてもよいし、コンテンツ名・コンテンツ番号以外の情報が含まれていても良い。また、コンテンツ指示入力手段としてリモコンについて説明したが必ずしもこれに限るものではなく、本体側に設置された操作パネルでも良いし、キーボードのようなものでも良い。また、リモコンによるコンテンツの選択は、本実施の形態では上下ボタンと決定ボタンというボタン分けであったが、左右もしくは、コンテンツの選択ができる仕様であれば何でも良い。また、コンテンツは当該端末が再生を指示した時に送信が開始されるものだけではなく、インターネット上に常時流されている形式のものでも良い。また、コンテンツとコンテンツ付加情報は別のサーバーから送信されるものでも良い。
【００４５】
（実施の形態３）
以下に、本発明の実施の形態３の映像信号、音声信号再生装置におけるコンテンツ切替方法を図１と図２と図５、図１３、図１４を用いて説明する。
【００４６】
図１および図２において実施の形態１と同様の動作を行なう事象は説明を省略する。図１３は本実施の形態の処理フロー図であり、図１４は本実施の形態の状態遷移を示す図である。
【００４７】
ユーザーがあるコンテンツを再生中において、次にユーザーが異なるコンテンツを選択したい場合、リモコンのコンテンツ情報ボタンを用いる。この例では、リモコンにコンテンツ情報ボタンの上とコンテンツ情報ボタンの下と決定指示を行なう決定ボタンの３つが設定されているとする。図１４において、現在コンテンツ番号００２を再生中であり、コンテンツ名とコンテンツ番号は図５のようにＯＳＤ表示されるとする（図１４の８３１）。
【００４８】
ユーザーがリモコンのコンテンツ情報ボタンの上を押した場合、ＯＳＤ表示内のコンテンツ名とコンテンツ番号だけが、コンテンツ番号００３のものに変わる。この時、端末は、コンテンツ番号００２のコンテンツを再生したままである（図１４の８３２）。図１３でいうとＡからＢの状態に変わる。この状態で所定の時間（例えば３秒間）の間ユーザーからのリモコン操作がなければ、ＯＳＤ表示はコンテンツ番号００４のものに変わる（図１４の８３３）。変わった後、所定の時間の間ユーザーからのリモコン操作がなければ、ＯＳＤ表示はコンテンツ番号００５のものに変わる（図１４の８３４）。図１３でいうと再びＢの状態になることを繰り返す。
【００４９】
同様に、現在コンテンツ番号００４を再生中にユーザーがリモコンのコンテンツ情報ボタンの下を押した場合、ＯＳＤ表示内のコンテンツ名とコンテンツ番号だけが、コンテンツ番号００３のものに変わる。この時、端末は、コンテンツ番号００４のコンテンツを再生したままである。この状態で所定の時間の間ユーザーからのリモコン操作がなければ、ＯＳＤ表示はコンテンツ番号００２のものに変わる。というように、ユーザーが次のリモコン操作をするまで、付加情報に含まれている全てのコンテンツを１つずつ順番にＯＳＤ表示する。
【００５０】
また、ＯＳＤ表示が次のコンテンツに変わった後、所定の時間内に決定ボタンが押された時、端末１０２は、その時ＯＳＤ表示しているコンテンツの配信をサーバー１０１に要求する（図１４の８３５）。その後、サーバー１０１からのストリームを受けた端末１０２はストリームを再生した映像信号および音声信号を事前に準備しているＯＳＤ表示付きで出力する（図１４の８３６）。状態は図１３のＡに戻る。ユーザーは、コンテンツ情報ボタンを一度押すだけで、付加情報に含まれている全てのコンテンツのコンテンツ名を知ることが出来、その中から次に視聴したいコンテンツを選択することができる。
【００５１】
なお、ＯＳＤ表示内にコンテンツ番号はなくてもよいし、コンテンツ名・コンテンツ番号以外の情報が含まれていても良い。また、次のコンテンツ情報が表示されるまでの所定の時間は本形態では３秒としたが何秒であっても良い。また、コンテンツ指示入力手段としてリモコンについて説明したが必ずしもこれに限るものではなく、本体側に設置された操作パネルでも良いし、キーボードのようなものでも良い。また、リモコンによるコンテンツ情報の表示は、本実施の形態では上下というボタン分けであったが、左右もしくは、表示の合図ができる仕様であれば何でも良い。また、リモコンによるコンテンツ決定の合図は、本実施の形態では決定ボタンを押すとしたが、数字ボタンでコンテンツ番号を選択するもしくは、コンテンツ情報ボタンを放したことを決定の合図としても良い。また、コンテンツは当該端末が再生を指示した時に送信が開始されるものだけではなく、インターネット上に常時流されている形式のものでも良い。また、コンテンツとコンテンツ付加情報は別のサーバーから送信されるものでも良い。
【００５２】
（実施の形態４）
以下に、本発明の実施の形態４の映像信号、音声信号再生装置におけるチャンネル切替方法を図３と図４と図５、図１５、図１６を用いて説明する。
【００５３】
図３において３０１は放送局、３０２は送信アンテナ、３０３は衛星、３０４は受信アンテナ、３０５は端末（セットトップボックス：ＳＴＢ）である。端末３０５が映像音声信号再生装置である。
【００５４】
図３は、衛星を用いたデジタル放送で行なわれている方法である。放送局３０１は複数のチャンネル情報と複数のチャンネルの映像・音声の情報を含む放送を送信アンテナ３０２を用いて、衛星３０３に送信する。衛星３０３は放送局３０１から送信された放送を所定の領域（例えば日本）に向けて放送する。受信アンテナ３０４は、衛星３０３からの放送を受信する。端末３０５は受信アンテナ３０４からのデータを解析し、所定の処理を行ない放送を受信する。
【００５５】
ここで、この放送システムで放送されるデータについて、図４を用いて説明する。この放送システムでは、放送局が送信する放送には、複数のチャンネルが含まれている。図４は、ＭＰＥＧ−２のＴｒａｎｓｐｏｒｔ  Ｓｔｒｅａｍ（ＴＳ）を仮定しており、図中の枠は、ＴＳでＴＳ  Ｐａｃｋｅｔ と呼ばれているものである。チャンネルテーブルは、ＭＰＥＧ−２規格において、ＰＭＴ（Ｐｒｏｇｒａｍ  Ｍａｐ  Ｔａｂｌｅ）と呼ばれているものであり、当該ストリームに含まれる全てのチャンネルのＩＤなどの情報をテーブル化して有している。ユーザー情報のパケットは、各チャンネルにおいてユーザーに知らせるべき情報を有している。ビデオパケットは、映像信号を圧縮したデータを有しており、オーディオパケットは、音声信号を圧縮したデータを有している。
【００５６】
放送局３０１は、１つのチャンネルの映像信号・音声信号を所定の圧縮を行なって、それぞれビデオパケット・オーディオパケットに変換すると共に、当該チャンネル（映像信号・音声信号）に関する番組名や放送時間などの付加情報などのユーザー情報もユーザー情報パケットに変換する。そして、複数チャンネルのデータとチャンネルテーブルのパケット（ＰＭＴ）をまとめたストリームである図４で示したデータを生成し、それを放送する。
【００５７】
図４で示したデータを受信した端末３０５は全てのチャンネルのユーザー情報を端末内に記憶する。本ユーザー情報は所定の時間（例えば１分）毎に更新していく。また、ユーザーがチャンネル００２を選択した場合、端末３０５はＰＭＴのコードを解析し、チャンネル００２のユーザ情報・ビデオパケット・オーディオパケットのＩＤを認識し、ストリーム中から必要なパケットのみを取り出す。端末３０５は、ビデオパケットとオーディオパケットに対して所定の復号化を行ない映像信号と音声信号を再生する。また、端末３０５は、ユーザー情報中の１つの情報として含まれている番組名およびチャンネル番号を、映像信号再生時に、ＯＳＤ（Ｏｎ  Ｓｃｒｅｅｎ  Ｄｉｓｐｌａｙ）機能を用いて画面上に出力する。出力する時間は、常時出力する場合、所定の時間（例えば３秒間）のみ出力する場合など、端末により、または、端末に設定されているモードにより異なる。図５はＯＳＤ表示を説明する図である。画面上部に枠を設け、その枠内に番組名とチャンネル番号を表示する。図５では、画面上部としたが、この枠は画面のいかなる部分にあってもよい。また、枠内に対して背景である映像信号が透けて見えるようにアルファブレンディング効果を用いても良い。
【００５８】
図１５は本実施の形態の処理フロー図であり、図１６は本実施の形態の状態遷移を示す図である。ユーザーが再生中のチャンネルと異なるチャンネルを選択したい場合には、ユーザーは、チャンネル指示入力手段としてのリモコンのチャンネル切替ボタンを用いる。この例では、チャンネル切替ボタンの上とチャンネル切替ボタンの下の２つのボタンがリモコンに設定されているとする。図１６において、現在チャンネル番号００２を再生中（図１６の８４１）であるとすると、リモコンのチャンネル切替ボタンの上が押された場合には、ＯＳＤ表示内のチャンネル付加情報である番組名とチャンネル番号だけが、次候補のチャンネル番号００３のものに変わる（図１６の８４２）。図１５でいうとＡからＢの状態に変わる。この状態で所定の時間（例えば３秒間）の間ユーザーからのリモコン操作がなければ、端末１０２はＰＭＴのコードを解析し、チャンネル番号００３のユーザー情報・ビデオパケット・オーディオパケットのＩＤを認識し、ストリーム中から必要なパケットのみを取り出す（図１６の８４５）。端末３０５は、ビデオパケットとオーディオパケットに対して所定の復号化を行ない映像信号と音声信号を再生する（図１６の８４６）。状態は図１５のＡに戻る。
【００５９】
また、現在チャンネル番号００２を再生中（図１６の８４１）にユーザーがリモコンのチャンネル切替ボタンの上を押すと、ＯＳＤ表示内の番組名とチャンネル番号だけが、チャンネル番号００３のものに変わる（図１６の８４２）。その後、所定の時間内にリモコンのチャンネル切替ボタンの下が押された場合には、ＯＳＤ表示内の番組名とチャンネル番号だけが、チャンネル番号００２のものに変わる（図１６の８４３）。変わった後、所定の時間内にリモコンのチャンネル切替ボタンの下が押された場合には、ＯＳＤ表示内の番組名とチャンネル番号だけが、チャンネル番号００１のものに変わる（図１６の８４４）。図１５でいうと、ＡからＢの状態に変わった後、再びＢの状態になることを繰り返す。というように、所定の時間内にリモコンのチャンネル切替ボタンの上ボタンと下ボタンを押していけば、ユーザー情報に含まれている全てのチャンネルの番組名を知ることが出来、その中から次に視聴したいチャンネルを選択することができる。
【００６０】
なお、ＯＳＤ表示内にチャンネル番号はなくてもよいし、番組名・チャンネル番号以外の情報が含まれていても良い。また、チャンネル切替のタイムアウトである所定の時間は本形態では３秒としたが何秒であっても良い。また、チャンネル指示入力手段としてリモコンについて説明したが必ずしもこれに限るものではなく、本体側に設置された操作パネルでも良いし、キーボードのようなものでも良い。また、リモコンによるチャンネル切替ボタンは、本実施の形態では上下というボタン分けであったが、左右もしくは、チャンネル切替ができる仕様であれば何でも良い。また、チャンネルはデジタル放送のものとしたが、インターネット上に常時流されている形式のものでも良い。また、チャンネルとチャンネル付加情報は別の放送局やインターネットで送信されるものでも良い。
【００６１】
（実施の形態５）
以下に、本発明の実施の形態５の映像信号、音声信号再生装置におけるチャンネル切替方法を図３と図４と図６、図１７、図１８を用いて説明する。
【００６２】
図３および図４において実施の形態４と同様の動作を行なう事象は説明を省略する。図１７は本実施の形態の処理フロー図であり、図１８は本実施の形態の状態遷移を示す図である。
【００６３】
ユーザーがあるチャンネルを再生中において、次にユーザーが異なるチャンネルを選択したい場合には、リモコンのコンテンツリスト指示を行なうチャンネル情報ボタンを用いる。この例では、リモコンにチャンネル情報ボタンと上ボタンと下ボタンと決定ボタンの４つが設定されているとする。図１８において、現在チャンネル番号００２を再生中であるとする（図１８の８５１）。ユーザーがリモコンのチャンネル情報ボタンを押すことにより、図６に示したチャンネル表がＯＳＤとして画面に表示される。この時、端末は、チャンネル番号００２を再生したままである（図１８の８５２）。図１７でいうと、ＡからＢの状態に変わる。
【００６４】
ユーザーは、リモコンボタンの上ボタンと下ボタンを操作することにより、チャンネル表の中の選択位置を変更していく。チャンネル表内で選択位置の色が変化していくものとする。決定ボタンを押さない限り、図１７のＢの状態が保たれる。
【００６５】
ユーザーは、次に再生したいチャンネルを選択状態にし、リモコンの決定ボタンを押すことにより、次のチャンネルを選択する（図１８の８５３）。端末３０５は、図６の画面上部のようにＯＳＤ表示している番組名とチャンネル番号を、選択結果として選ばれたものに置換し、かつ、ＰＭＴのコードを解析し、次に選択されたチャンネルのビデオパケット・オーディオパケットのＩＤを認識し、ストリーム中から必要なパケットのみを取り出す（図１８の８５４）。端末３０５は、ビデオパケットとオーディオパケットに対して所定の復号化を行ない映像信号と音声信号を再生する（図１８の８５５）。状態は図１７のＡに戻る。
【００６６】
なお、ＯＳＤ表示内にチャンネル番号はなくてもよいし、番組名・チャンネル番号以外の情報が含まれていても良い。また、チャンネル指示入力手段としてリモコンについて説明したが必ずしもこれに限るものではなく、本体側に設置された操作パネルでも良いし、キーボードのようなものでも良い。また、リモコンによるチャンネルの選択は、本実施の形態では上下ボタンと決定ボタンというボタン分けであったが、左右もしくは、チャンネルの選択ができる仕様であれば何でも良い。また、チャンネルはデジタル放送のものとしたが、インターネット上に常時流されている形式のものでも良い。また、チャンネルとチャンネル付加情報は別の放送局やインターネットで送信されるものでも良い。
【００６７】
（実施の形態６）
以下に、本発明の実施の形態６の映像信号、音声信号再生装置におけるチャンネル切替方法を図３と図４と図５、図１９、図２０を用いて説明する。
【００６８】
図３および図４において実施の形態４と同様の動作を行なう事象は説明を省略する。図１９は本実施の形態の処理フロー図であり、図２０は本実施の形態の状態遷移を示す図である。
【００６９】
ユーザーがあるチャンネルを再生中において、次にユーザーが異なるチャンネルを選択したい場合には、ユーザーはリモコンのボタンを用いる。この例では、リモコンにチャンネル情報ボタンの上とチャンネル情報ボタンの下と決定指示を行なう決定ボタンの３つが設定されているとする。図２０において、現在チャンネル番号００２を再生中であり、番組名とチャンネル番号は図５のようにＯＳＤ表示されるとする（図２０の８６１）。
【００７０】
ユーザーがリモコンのチャンネル情報ボタンの上を押した場合、ＯＳＤ表示内の番組名とチャンネル番号だけが、チャンネル番号００３のものに変わる。この時、端末は、チャンネル番号００２のチャンネルを再生したままである（図２０の８６２）。図１９でいうとＡからＢの状態に変わる。この状態で所定の時間（例えば３秒間）の間ユーザーからのリモコン操作がなければ、ＯＳＤ表示はチャンネル番号００４のものに変わる（図２０の８６３）。変わった後、所定の時間の間ユーザーからのリモコン操作がなければ、ＯＳＤ表示はチャンネル番号００５のものに変わる（図２０の８６４）。図１９でいうと再びＢの状態になることを繰り返す。
【００７１】
同様に、現在チャンネル番号００４を再生中にユーザーがリモコンのチャンネル情報ボタンの下を押した場合、ＯＳＤ表示内の番組名とチャンネル番号だけが、チャンネル番号００３のものに変わる。この時、端末は、コンテンツ番号００４のチャンネルを再生したままである。この状態で所定の時間の間ユーザーからのリモコン操作がなければ、ＯＳＤ表示はチャンネル番号００２のものに変わる。というように、ユーザーが次のリモコン操作をするまで、付加情報に含まれている全てのチャンネルを１つずつ順番にＯＳＤ表示する。
【００７２】
また、ＯＳＤ表示が次のチャンネルに変わった後、所定の時間内に決定ボタンが押された時、端末３０５はＰＭＴのコードを解析し、次にその時ＯＳＤ表示しているチャンネルのビデオパケット・オーディオパケットのＩＤを認識し、ストリーム中から必要なパケットのみを取り出す（図２０の８６５）。端末３０５は、ビデオパケットとオーディオパケットに対して所定の復号化を行ない映像信号と音声信号を再生する（図２０の８６６）。状態は図１９のＡに戻る。ユーザーは、コンテンツ情報ボタンを一度押すだけで、付加情報に含まれている全てのチャンネルの番組名を知ることが出来、その中から次に視聴したいチャンネルを選択することができる。
【００７３】
なお、ＯＳＤ表示内にチャンネル番号はなくてもよいし、番組名・チャンネル番号以外の情報が含まれていても良い。また、次のチャンネル情報が表示されるまでの所定の時間は、本形態では３秒としたが何秒であっても良い。また、チャンネル指示入力手段としてリモコンについて説明したが必ずしもこれに限るものではなく、本体側に設置された操作パネルでも良いし、キーボードのようなものでも良い。また、リモコンによるチャンネル情報の表示は、本実施の形態では上下というボタン分けであったが、左右もしくは、表示の合図ができる仕様であれば何でも良い。また、リモコンによるチャンネル決定の合図は、本実施の形態では決定ボタンを押すとしたが、数字ボタンでチャンネル番号を選択するもしくは、チャンネル情報ボタンを放したことを決定の合図としても良い。また、チャンネルはデジタル放送のものとしたが、インターネット上に常時流されている形式のものでも良い。また、チャンネルとチャンネル付加情報は別の放送局やインターネットで送信されるものでも良い。
【産業上の利用可能性】
【００７４】
本発明に係るコンテンツ切替方法、およびチャンネル切替方法は、無駄なコンテンツ、またはチャンネルの切り替えを少なくすることが出来るので、インターネットで配信されるコンテンツの再生装置や電波等のテレビ放送の再生装置の制御等の用途に適用できる。
【図面の簡単な説明】
【００７５】
【図１】デジタルストリーミング放送システムのブロック図
【図２】コンテンツの付加情報の一例を示す図
【図３】デジタルテレビ放送システムのブロック図
【図４】テレビ放送のデータ構成の一例を示す図
【図５】画面上のＯＳＤ表示を説明する図
【図６】画面上のコンテンツ表もしくはチャンネル表を説明する図
【図７】従来の切替の処理フロー図
【図８】従来の状態遷移を示す図
【図９】実施の形態１の切替の処理フロー図
【図１０】実施の形態１の状態遷移を示す図
【図１１】実施の形態２の切替の処理フロー図
【図１２】実施の形態２の状態遷移を示す図
【図１３】実施の形態３の切替の処理フロー図
【図１４】実施の形態３の状態遷移を示す図
【図１５】実施の形態４の切替の処理フロー図
【図１６】実施の形態４の状態遷移を示す図
【図１７】実施の形態５の切替の処理フロー図
【図１８】実施の形態５の状態遷移を示す図
【図１９】実施の形態６の切替の処理フロー図
【図２０】実施の形態６の状態遷移を示す図
【符号の説明】
【００７６】
１０１  サーバー
１０２，３０５  端末
３０１  放送局
３０２  送信アンテナ
３０３  衛星
３０４  受信アンテナ
【図１】
2005167894.tif 000003
【図２】
2005167894.tif 000004
【図３】
2005167894.tif 000005
【図４】
2005167894.tif 000006
【図５】
2005167894.tif 000007
【図６】
2005167894.tif 000008
【図７】
2005167894.tif 000009
【図８】
2005167894.tif 000010
【図９】
2005167894.tif 000011
【図１０】
2005167894.tif 000012
【図１１】
2005167894.tif 000013
【図１２】
2005167894.tif 000014
【図１３】
2005167894.tif 000015
【図１４】
2005167894.tif 000016
【図１５】
2005167894.tif 000017
【図１６】
2005167894.tif 000018
【図１７】
2005167894.tif 000019
【図１８】
2005167894.tif 000020
【図１９】
2005167894.tif 000021
【図２０】
2005167894.tif 000022